(57)【要約】 【課題】従来、フリック入力とはスマートフォンなどで仮名によるデンワキーの少数キーで効率よく日本語を入力できるよう考案されたものだがキー数が少なく一回のフリック操作では清音しか選択できなかった。【解決手段】  携帯電話の時代ではボタン数に限りがあったが、スマートフォンの液晶画面によりキー数の制限が無くなり英字のフルキーの表示も可能で、濁音、半濁音、小文字用のキーを増設し、現在のフリック機能を駆使することで一文字を一回のフリック操作で入力できるようになった。【選択図】  図１
2016053932.tif 000002
【特許請求の範囲】
【請求項１】
液晶画面上で仮名又は英字による濁音、半濁音、小文字の中から任意による代表文字からのフリック及びスライド操作による文字選択機能を具備する事による仮名又は英字による濁音、半濁音からのフリックによる日本語入力。
【請求項２】
仮名変換処理が終了したカーソル上において、子音英字キーのタップによる入力は「Ａ」の英字を自動で追加入力するが、カーソル末尾の複数文字が子音英字の場合、先頭の子音英字の後に「Ａ」の英字を自動で追加入力するが、子音英字キーのタップによる入力後、次にキー操作により入力される文字が前回と同じ英字、母音英字、「Ｙ,Ｈ,Ｗ」の英字以外のキー入力は先に「Ａ」の英字を自動で追加入力後、該当するキー操作の文字を入力するが、カーソル末尾の一文字だけが仮名文字の場合、カーソルの位置に関係なく前にある一文字又は複数文字の子音英字の各後に「Ａ」の英字を自動で追加入力するが、文字入力キー以外のキー操作時はカーソル上の子音英字の各後に「Ａ」の母音英字を自動で追加入力する事の組合せをローマ字入力に具備する事による仮名又は英字による濁音、半濁音からのフリックによる日本語入力。
【発明の詳細な説明】
【技術分野】
【０００１】
本発明は、液晶画面からの仮名及びローマ字による日本語入力に関するものである。
【背景技術】
【０００２】
従来の日本語によるローマ字入力は、一般的にクウォーティー（ＱＷＥＲＴＹ）配列による英字のキーボード、子音と母音の英字から成るキーボード等からローマ字綴りの読み順で子音、母音の英字がカーソルに転送されるなか、仮名変換処理後、仮名漢字変換方法により日本語の入力をしていて、一部のソフト英字キーから関連する英字の小文字、大文字、記号等を該当キーのフリック及びスライド操作により一文字を入力していた。
【０００３】
日本語入力方式としてのフリック入力及びジェスチャー入力とは、タッチパネル上に電話配列のキー風に配置された五十音配列の各行の「あ」段の１０文字「あ、か、さ、た、な、は、ま、や、ら、わ」が表示されたキーの周囲又は、キー上部に十字方向（ガイド）に「い」段、「う」段、「え」段、「お」段の4段が潜在的に配置されており、「あ」段表示のキーをタップ又は、フリック（弾く）かスライドさせることで、清音の仮名一文字を入力する方法や、各キーに花びら状（ジェスチャーガイド、フラワータッチ）に各行と小文字等が表示され画面上を上下にスライドしたりフリックすることで仮名の一文字を入力する方法があった。
【０００４】
五十音配列の各行の「あ」段の仮名がタッチパネル上で電話配列のキーのように表示された各キーに各行の５文字を定義し、キーの接触による選択後の解放又は、接触しながら上下左右の移動操作後の解放により仮名の清音一文字を入力する方法が知られている（特許文献１参照）。
【０００５】
タッチパネル上に濁音、半濁音を含む子音読みの英字キーを配置し、該当するキーに子音から成る行の５個の大文字をキー内のタッチペン操作により仮名の一文字を選択する入力方法が知られている（特許文献２参照）。
【０００６】
【特許文献１】特開２０００−１１２６３６号公報
【特許文献２】特開平８−２７２７８７号公報
【発明の概要】
【発明が解決しようとする課題】
【０００７】
１）    タッチパネル上の操作における「タップ」とはキーに接触してその場で離す動作とする。
２）    「フリック」とはキーに接触しながら一方向に弾く又は移動して離す動作とする。
３）    「スライド」とはキーに接触しながら目的の位置（キー）まで移動して離す動作とする。
４）    「ガイド」とはキーの接触により、該キーに関連する行の「あ」段の文字を中心に「い、う、え、お」段の文字が周囲に表示された表示物で、ジェスチャーガイド、フラワータッチ等も含み、タップ、フリック、スライドなどの位置、方向等を案内する表示物でガイドを表示する機能を「ガイド機能」としキー操作後非表示になる。
５）    キー操作によりキー情報がカーソルに転送され文字が表示される事を「カーソルに表示」とし、該カーソルに表示された文字が確定され次の文字入力を待つ状態を「待機状態」とする。
６）    「デンワキー」とは電話をかけるプッシュホンキーの別名で１２個（１,２,３,４、５、６、７、８、９、０、＊、♯）のキーから成るが「仮名デンワキー」とは文字入力用として、該デンワキーに五十音配列の「あ」段の文字を振り分けたキーボードとする。
７）    濁音、半濁音を含む子音の英字読みの出来る英字（Ｋ、Ｇ、Ｓ、Ｚ、Ｔ、Ｄ、Ｎ、Ｈ、Ｂ、Ｐ、Ｍ、Ｙ、Ｒ、Ｗ）キーを「子音英字キー」とし、母音の英字読みの出来る英字（Ａ、Ｉ、Ｕ、Ｅ、Ｏ）キーを「母音英字キー」とする。
８）    「フリック機能」とは、選択するキー及び該キー周囲に選択可能な文字を潜在的に配置し、タップ、フリックなどの操作により選択された文字がカーソルに表示され、入力待ち状態になる機能である。
９）    「スライド機能」とは、選択するキー周囲又は周辺と外周に選択可能な文字を潜在的に配置し、スライドなどの操作により該当する文字列から選択されカーソルに表示され、入力待ち状態になる機能である。
１０） タッチパネル等に表示されている入力キーをソフトキーとする。
１１） スマートフォン等の端末を動かす基本ソフトのｉＯＳをｉ系とし、ＡｎｄｒｏｉｄをＡ系とする。
１２） Ｇｏｏｇｌｅ日本語入力のＧｏｄａｎ配列のキーボードをゴダンキーとする。
１３） 液晶の横長に表示される画面を「横用」とし、縦長に表示される画面を「縦用」とした。
【０００８】
従来のローマ字入力は、母音と「ん」の６文字以外の仮名選択には２回以上のタップ操作を必要とした。
【０００９】
従来の仮名デンワキーによる日本語入力におけるフリック入力又はジェスチャー入力は清音の一文字だけの入力で、濁音、半濁音に変更するには専用キーにより１回ないし２回のタップ又は、1回のフリック操作を必要とした。
【００１０】
タッチパネル上に子音キーを配置してタッチペンでの入力は、子音読みの英字キー配列を新しく覚えなくてはならないし、数字等の入力キーも切り替え用のキー等も無く実用的ではないし、キーが小さいのでキー内における指での操作は不可能である。
【課題を解決するための手段】
【００１１】
現在、仮名漢字変換方法による、英字キー入力から仮名への変換方式によるローマ字入力の実施におけるＪＩＳ規格廃止により、個別による英字キー入力から仮名への変換方式が実装されているが、個別の規定に準じた仮名変換方式を基本的に継承し以下を具備するが、本発明ではＪＩＳ規格のＪＩＳ  Ｘ  ４０６３：２０００を基準として説明する。
【００１２】
増設キーがタッチパネル上の隅に表示されてフリック及びスライド操作が出来ない時は、一部又は全体を縮小し、隅までに余裕を設けることでフリック及びスライド操作を可能にするか、スライド操作により文字列の文字を選択するスライド機能を具備する。
【００１３】
１）   清音仮名表記によるデンワキー入力におけるガイドの「い」行の清音仮名の替りに母音英字の「I」を、「う」行の清音仮名の替りに母音英字の「Ｕ」を、「え」行の清音仮名の替りに母音英字の「Ｅ」を、「お」行の清音仮名の替りに母音英字の「Ｏ」を表示する。
２）   １）を踏まえ、キーの接触により表示されるガイド中央の清音仮名文字の替りに、該清音仮名文字のローマ字読みの最初の英字を表示する。
３）   清音仮名文字表記によるデンワキー入力におけるキーの接触により表示されるガイド中央の清音仮名文字の替りに、該清音仮名文字のローマ字読みの最初の英字を表示する。
４）   清音仮名文字表記によるデンワキー入力におけるキー表記を該当清音文字の母音及び子音を英字の母音及び子音で表記し、清音の英字文字表記によるデンワキーにする。
５）   以上により従来の仮名のデンワキーによる仮名表記のガイド以外で、該ガイドに仮名と英字を混合し、英字のデンワキーに対しても従来のガイドと仮名と英字を混合したガイド表示による混合デンワキーを従来と同じデンワキーとする。
以上の組合せによる。
【００１４】
１）   上記記載により構成されたデンワキーに濁音、半濁音、小文字等の子音キーにフリック機能を具備して増設したキーボードを増設デンワキーとする。
２）   増設デンワキーにローマ字入力の機能を具備する。
以上の組合せによる。
【００１５】
１）   英字表示によるゴダンキーの濁音、半濁音、小文字等の変換キーを機能キーの枠内に移設し文字キーの空間内で、母音キーを一つのキーに集約し、濁音、半濁音の各音を一つのキーとして残った空間に設置する。
２）   英字の表示文字から仮名文字に交換することでデンワキーのように一回のフリック操作で全ての大文字を入力し、小文字は小文字変換キーの操作で変換処理する。
３）   小文字の「ゃ、ゅ、ょ、っ」と「ぁ、ぃ、ぅ、ぇ、ぉ」をフリック機能で選択できるキーを設置する。
４）   英字の表示から仮名文字に交換することで一回のフリック操作で全ての仮名文字が入力できる。
５）   全ての子音英字の表示により、フリック及びスライド機能を具備したローマ字入力を可能にする。
６）   混合デンワキーのようにゴダンキーも混合可能にする。
以上の組合せにする。
【００１６】
以下、上記記載のフリック機能を具備したローマ字入力で、仮名変換処理が終了し、文字入力の待機状態におけるカーソル上で
１）   子音英字キーのタップによる入力は「Ａ」の英字を自動で追加入力する。
２）   カーソル末尾の２文字が子音英字の場合、先頭の子音英字の後に「Ａ」の英字を自動で追加入力する。
３）   カーソル末尾の３文字が子音英字の場合、先頭の英字の後に「Ａ」の英字を自動で追加入力する。
４）   カーソル末尾が複数（任意）の子音英字の場合、先頭の文字の後に「Ａ」の文字を自動で追加入力する。
５）   子音英字キーのタップによる入力後、次にキー操作により入力される文字が前回と同じ英字、母音英字、「Ｙ,Ｈ,Ｗ」の英字以外のキー入力は先に「Ａ」の英字を自動で追加入力後、該当するキー操作の文字を入力する。
６）   カーソル末尾の一文字だけが仮名文字の場合、カーソルの位置に関係なく前にある子音英字の間に「Ａ」の英字を自動で追加入力する。
７）   カーソル末尾の一文字だけが仮名文字の場合、カーソルの位置に関係なく前にある複数の子音英字の各後に「Ａ」の英字を自動で追加入力する。
８）   文字入力キー以外のキー操作時はカーソル上の各子音英字の後に「Ａ」の母音英字を自動で追加入力する。
以上の組合せにより、ローマ字入力とフリック入力を併用しながら日本語の文字入力をする。
【００１７】
以上、フリック操作はスライド操作と同様で且つ、文字の選択範囲は列上にある複数文字が対象である。
【発明の効果】
【００１８】
キーボードとガイドの中と外が仮名表記の従来のガイドだけではなく、キーボードを英字表示にすることでローマ字入力に慣れた人は判り易く、ガイドの外側を母音英字に変更することで「Ｉ」、「Ｕ」、「Ｅ」、「Ｏ」の４文字だけの表示に成り、各行の文字を覚えなくとも入力できるなどの効果が有り、仮名、英字の組合せによる変化を付ける事で学習用として利用でき、濁音、半濁音、小文字及び数字等が一回のフリック又はスライド操作により選択できるので、もっと速い文字選択が可能になった。
【００１９】
ローマ字入力キーによるローマ字入力はパソコンの文字入力手段として一般的で、新たに配列などを覚える必要がなく濁音、半濁音、小文字、拗音等の英字から仮名への変換が仮名デンワキーによるフリック操作よりも元々便利であったが、本発明により従来の英字から仮名への変換機能を損なうことなく仮名デンワキーと同じようなフリック機能を具備することで一層早く日本語の入力が可能になった。
【図面の簡単な説明】
【００２０】
【図１】ｉ系の横用と縦用とＡ系の横用と縦用のガイド正面図。
【図２】ｉ系横用仮名デンワキーに「あ」キー対象に仮名表記のガイド表示正面図。
【図３】ｉ系縦用仮名デンワキーに「あ」キー対象に英字表記のガイド表示正面図。
【図４】Ａ系横用仮名デンワキーに「な」キー対象に英字表記のガイド表示正面図。
【図５】Ａ系縦用仮名デンワキーに「ろ」キー対象に仮名表記のガイド表示正面図。
【図６】ｉ系横用英字デンワキーに「Ａ」キー対象に仮名表記のガイド表示正面図。
【図７】ｉ系縦用英字デンワキーに「あ」キー対象に英字表記のガイド表示正面図。
【図８】Ａ系横用英字デンワキーに「Ｎ」キー対象に英字表記のガイド表示正面図。
【図９】Ａ系縦用英字デンワキーに「Ｒ」キー対象に仮名表記のガイド表示正面図。
【図１０】縦用仮名デンワキーに文字キー及びガイド表示正面図。
【図１１】縦用仮名デンワキーに文字キー及びガイド表示正面図。
【図１２】縦用仮名デンワキーに「わ」「あ」のガイド表示正面図。
【図１３】縦用仮名デンワキーに文字キー増改設後に表示されるガイドの正面図。
【図１４】縦用仮名デンワキーに文字キー増改設及びガイド表示の正面図。
【図１５】縦用仮名デンワキーに「だ、ば、ぱ」のガイド表示正面図。
【図１６】縦用仮名デンワキーにおける機能キーと増改設キーの配置正面図。
【図１７】縦用仮名デンワキーの文字キー増改設後に表示されるガイドの正面図。
【図１８】縦用仮名デンワキーに文字キー増改設と「が、ざ」のガイド表示正面図。
【図１９】縦用仮名デンワキーに「だ、ば、ぱ」のガイド表示正面図。
【図２０】縦用仮名デンワキー文字キー増改設の配置変更及び尺度変更による複数の配置正面図。
【図２１】横用英字デンワキーの増改設後に表示されるガイドの正面図。
【図２２】横用英字デンワキーの増改設と「Ｇ、Ｚ、Ｄ」のガイド表示正面図。
【図２３】横英字デンワキーに「Ｂ、Ｐ、Ｙ、Ｘ」のガイド表示正面図。
【図２４】横用英字デンワキーに「Ｗ、Ｌ」のガイド表示正面図。
【図２５】横用英字デンワキーによるローマ字入力による「Ｇ、Ｙ」の文字表示とガイドの正面図。
【図２６】横用英字キーによるローマ字入力による「Ｇ、Ｈ」のガイド表示正面図。
【図２７】横用英字キーによるローマ字入力による待機状態と「Ａ」のガイド表示正面図。
【図２８】横用仮名キーの文字キー増改設後に表示されるガイド正面図。
【図２９】横用仮名キーに増改設と「が」のガイド表示正面図。
【図３０】横用仮名キーに「ざ、だ」のガイド表示正面図。
【図３１】縦用仮名キーに「ぱ、や、ゃ小」のガイド表示正面図。
【図３２】縦用英字キーに「Ｗ、Ｌ」キーのガイド表示正面図。
【図３３】縦用ゴダンキーと簡略ゴダンキーと子音ゴダンキーの正面図。
【図３４】縦用子音ゴダンキーの文字キー増改設後に表示されるガイドの正面図。
【図３５】縦用子音ゴダンキーに「Ｇ、Ｚ、Ｄ」のガイド表示正面図。
【図３６】縦用子音ゴダンキーに「Ｂ、Ｎ」のガイド表示正面図。
【図３７】縦用子音ゴダンキーに「Ｐ、Ａ、Ｗ」のガイド表示正面図。
【図３８】縦用子音ゴダンキーと縦用仮名ゴダンキーの正面図。
【図３９】縦用仮名ゴダンキーの文字キー増改設後に表示されるガイドの正面図。
【図４０】縦用仮名ゴダンキーに「が、ざ、だ」のガイド表示正面図。
【図４１】縦用仮名ゴダンキーに「ば、な」のガイド表示正面図。
【図４２】縦用仮名ゴダンキーに「ぱ、あ、わ」のガイド表示正面図。
【図４３】縦用簡略ゴダンキーと縦用増設仮名ゴダンキーの正面図。
【図４４】縦用増改設仮名ゴダンキーの文字キー増改設後に表示されるガイドの正面図。
【図４５】縦用増改設仮名ゴダンキーに「が、あ、や」のガイド表示正面図。
【図４６】縦用増改設仮名ゴダンキーに「や、ぁ」のガイド表示正面図。
【図４７】縦用増改設仮名ゴダンキーに「ぱ、な、わ」のガイド表示正面図。
【図４８】縦用増改設簡略ゴダンキーと縦用増改設ゴダンキーの正面図。
【図４９】縦用増改設英字ゴダンキーの文字キー増改設後に表示されるガイドの正面図。
【図５０】縦用増改設英字ゴダンキーに「Ｇ、Ａ、Ｙ」のガイド表示正面図。
【図５１】縦用増改設英字ゴダンキーに「Ｘ、Ｌ」のガイド表示正面図。
【図５２】縦用増改設英字ゴダンキーに「Ｐ、Ｎ、Ｗ」のガイド表示正面図。
【符号の説明】
【００２１】
Ａ  中が仮名で外が仮名のガイド
Ｂ  中が仮名で外が英字のガイド
Ｃ  中が英字で外が英字のガイド
Ｄ  中が英字で外が仮名のガイド
Ｅ  仮名表示のデンワキー
Ｆ  英字表示のデンワキー
Ｇ  キー増設用の仮名表示のデンワキー
Ｈ  キー増設用の英字表示のデンワキー
Ｊ  増設キーを含むデンワキー
Ｋ  Ｇｏｄａｎ配列のキーボード及び、該キーボートに増改設したゴダンキー
Ｍ  変換、設定機能等を具備した機能キー
Ｎ  新しいキーとして設置した仮名のキー
Ｐ  新しいキーとして設置した英字のキー
【発明を実施するための形態】
【実施例１】
【００２２】
図１は仮名表記によるデンワキーのキー操作により表示される各種ガイドの表示図で、ガイド中央が仮名で外が仮名表記の従来のガイドＡ１ａと、中央が仮名で外が母音英字表記のガイドＢ１ａと、中央が英字で外が母音英字表記のガイドＣ１ｎと、中央が英字で外が仮名表記のガイドＤ１ｒが表示されている。
【００２３】
図２はｉＯＳの基本ソフトを使用している横用の仮名デンワキーＥ1に「あ」キーのガイドＡ１ａが表示された図である。
【００２４】
図３はｉＯＳの基本ソフトを使用している縦用の仮名デンワキーＥ２に「あ」キーのガイドＢ１ａが表示された図である。
【００２５】
図４はＡｎｄｒｏｉｄの基本ソフトを使用している横用の仮名表デンワキーＥ３に「な」キーのガイドＣ１nが表示された図である。
【００２６】
図５はＡｎｄｒｏｉｄの基本ソフトを使用している縦用の仮名デンワキーＥ４に「ら」キーのガイドＤ１ｒが表示された図である。
【００２７】
図６はｉＯＳの基本ソフトを使用している横用の英字デンワキーＦ1に「Ａ」キーのガイドＡ１ａが表示された図である。
【００２８】
図７はｉＯＳの基本ソフトを使用している縦用の英字デンワキーＦ２に「Ａ」キーのガイドＢ１ａが表示された図である。
【００２９】
図８はＡｎｄｒｏｉｄの基本ソフトを使用している横用の英字デンワキーＦ３に「Ｎ」キーのガイドＣ１ｎが表示された図である。
【００３０】
図９は縦用の英字デンワキーＦ４に「Ｒ」キーのガイドＤ１ｒが表示された図である。
【００３１】
以上、実施例1であるが仮名デンワキーＥとガイドの中央の文字が仮名と外側の文字も仮名の従来の文字表記以外で、仮名デンワキーＥと英字デンワキーＦにガイド中央の文字が仮名と英字に外側の文字も仮名と英字による混合である。
【実施例２】
【００３２】
図１０の左側は縦用の仮名デンワキーＧ１で、中央は「あＡ１」と「設定」が表記されたキーによるキーボード選択機能を「あＡ１」キーに統合し、「設定」キーの位置に「ぱ」の文字が表記されたキーＮ１ｐをデンワキーＧ１ａに設置した図で、右側は「ぱ」キーの接触によりガイドＡ２ｐがデンワキーＧ１ｂに表示された図である。
【００３３】
図１１の左側は「ゃ小」と表記されたキーＮ２ｘと「ぁ小」と表記された仮名キーＮ２ｌと「゛゜」と表記された機能キーＭ１を縦用の仮名デンワキーＧ１ｃに設定し、右側は「ゃ小」キーの接触によりガイドＡ２ｘがデンワキーＧ１ｄに表示された図である。
【００３４】
図１２の左側は図１１に続き増改設に伴い消滅した記号の一部をデンワキーＧ１ｅに示すように「わ」キーのガイドＡ２ｗに「、」と「。」を振り分け、右側は「あ」段の小文字が表記されているガイドＡ２ｌがデンワキーＧ１ｆ表示されている。
【００３５】
図１３は液晶画面の隅でフリック操作ができないキーを対象にスライド機能を具備させることで、フリックする同方向に選択文字を増やし、スライドして文字を選択するように設定されているガイドが表示されている。
【００３６】
図１４の左側はキーＮ３ｇ、Ｎ３ｚ、Ｎ３ｄ、Ｎ３ｂとキーＮ３ｐとキーＭ２をデンワキーＧ２に設置し、中央は「が」キーＮ３ｇの接触によりガイドＡ３ｇがデンワキーＧ２ａに表示され、右側は「ざ」キーＮ３ｚの接触によりガイドＡ３ｚがデンワキーＧ２ｂに表示された図である。
【００３７】
図１５は図１４からの続きで、左側は「だ」キーの接触によりガイドＡ３ｄがデンワキーＧ２ｃに表示され、中央は「ば」キーの接触によりガイドＡ３ｂがデンワキーＧ２ｂに表示され、右側は「ぱ」のキー接触によりガイドＡ３ｐがデンワキーＧ２ｐに表示された図である。
【００３８】
図１６の左側は図１４のデンワキーＧ２の機能キーの位置を左端から右端に変更したデンワキーＧ２ｆで、右側のデンワキーＧ２ｇは機能キーの位置を四隅に配置した図である。
【００３９】
図１７は「だ」、「ざ」、「だ」、「ば」、の濁音、「ぱ」の半濁音の子音５文字のキー増設により、隅の位置による変形を踏まえたガイドを表示した図である。
【００４０】
図１８の左側は図１７の増設キーと図１１と同じ「ゃ小」のキーＮ４ｘと「ぁ小」の改設キーＮ４ｌをデンワキーＧ３に配置した図で、中央は「が」キーの接触によりガイドＡ４ｇがデンワキーＧ３ａに表示され、右側は「ざ」キーの接触によりガイドＡ４ｚがデンワキーＧ３ｂに表示された図である。
【００４１】
図１９は図１８の引き続きで、左側は「だ」キーの接触によりガイドＡ４ｄがデンワキーＧ３ｃに表示され、中央は「ば」キーの接触によりガイドＡ４ｂがデンワキーＧ３ｄに表示され、右側は「ぱ」キーの接触によりガイドＡ４ｐがデンワキーＧ３ｅに表示された図である。
【００４２】
図２０の左側は図１８のデンワキーＧ３を参考に増設キーの使用空間を省略するために縦方向に縮小して増設したデンワキーＧ３ｆで、中央は下に増設キーを設置したデンワキーＧ３ｇの図で、右側は図１８のデンワキーＧ３の全体を縦方向に縮小したデンワキーＧ３ｈの図である。
【００４３】
図２１は「Ｇ」、「Ｚ」、「Ｄ」、「Ｂ」、「Ｐ」の濁音、半濁音の子音英字の五個のキーと「Ｘ」、「Ｌ」のキー設置により表示される各ガイドを表示した図である。
【００４４】
図２２の左上は「Ｇ」のキーＰ１ｇ、「Ｚ」のキーＰ１ｚ、「Ｄ」のキーＰ１ｄ、「Ｂ」のキーＰ１ｂ、「Ｐ」のキーＰ１ｐを配置したデンワキーＨ１で、右上は「Ｇ」のキーＰ１ｇの接触により「Ｇ」のガイドＣ２ｇがデンワキーＨ１ａに表示され、左下は「Ｚ」のキーＰ１ｚの接触により「Ｚ」のガイドＣ２ｚがデンワキーＨ１ｂに表示され、右下は「Ｄ」のキーＰ１ｄの接触により「Ｄ」のガイドＣ２ｄがデンワキーＨ１ｃに各表示された図である。
【００４５】
図２３は図２２の続きで、左上は「Ｂ」キーの接触により「Ｂ」のガイドＣ２ｂがデンワキーＨ１ｄに表示され、右上は「Ｐ」のキーの接触により「Ｐ」のガイドＣ２ｐがデンワキーＨ１ｅに表示され、左下は「Ｙ」のキーの接触により「Ｙ」のガイドＣ２ｙがデンワキーＨ１ｆに表示され、右下は「Ｘ」キーの接触により「Ｘ」のガイドＣ２ｘがデンワキーＨ１ｇに各表示された図である。
【００４６】
図２４は図２３の続きで、左側は「Ｗ」キーの接触によりガイドＣ２ｗがデンワキーＨ１ｈに表示され、右側は「Ｌ」キーの接触によりガイドＣ２ｌがデンワキーＨ１ｊに各表示された図である。
【００４７】
図２５の左側は、図２２のデンワキーＨ１と同じで、「Ｇ」キーをタップしガイドＣ２ｇが表示されカーソルに「Ｇ」の文字が表示されたデンワキーＨ２ａの図で、右側が「Ｙ」キーの接触によりガイドＣ２ｙが表示されカーソルには「Ｇ」に続き「Ｙ」の文字が記入されたデンワキーＨ２ｂの図であるがガイドＣ２ｙには前に入力された「Ｇ」を加味し各母音を合わせた拗音文字が表示されている。
【００４８】
図２６の左側は図２５の続きでデンワキーＨ２ｂで「Ｙ」キーを上にフリック操作後、カーソルに表示された文字が仮名変換処理機能により「ぎゅ」に変換され「Ｓ」キーのタップしガイドＣ２ｓがデンワキーＨ２ｃに表示されカーソルに「Ｓ」の文字が表示された図で、右側が続いて「Ｈ」キーに接触しガイドＣ２ｈが表示されカーソルには「Ｓ」に続き「Ｈ」の文字が表示されたデンワキーＨ２ｄの図ではあるがガイドＣ２ｈには前に入力された「Ｓ」を加味し各母音を合わせた拗音文字が表示されている。
【００４９】
図２７の左側は図２６のデンワキーＨ２ｄの「Ｈ」キーをタップすることにより、カーソルに「ぎゅＳＨ」の文字が確定して次の文字の待機状態と仮名変換処理の待機状態のデンワキーＨ２ｅで、右側が「Ａ」キーのタップによりガイドＣ２ａが表示されカーソルの「ぎゅＳＨ」に「Ａ」が追加され、仮名変換処理により「ぎゅしゃ」と表示された図である。
【００５０】
図２８は「が」、「ざ」、「だ」、「ば」、「ぱ」の濁音、半濁音の子音英字の五個のキーにより表示される各ガイドを表示した図である。
【００５１】
図２９の左側は「が」のキーＮ５ｇ、「ざ」のキーＮ５ｚ、「だ」のキーＮ５ｄ、「ば」のキーＮ５ｂ、「ぱ」のキーＮ５ｐを配置したデンワキーＪ１ａで、右側は「が」のキーＮ５ｇの接触により「が」のガイドＮ５ｇがデンワキーＪ１ｂに表示された図である。
【００５２】
図３０の左側は「ざ」キーの接触によりガイドＡ６ｚがデンワキーＪ２ａに表示され、右側は「だ」キーの接触によりガイドＡ６ｄがデンワキーＪ２ｂに表示された図である。
【００５３】
図３１の左側は「ぱ」キーの接触によりガイドＡ７ｐがデンワキーＪ３ａに表示され、中央は「や」キーの接触によりガイドＡ７ｙがデンワキーＪ３ｂに表示され、右側は「ゃ小」キーの接触によりガイドＡ７ｘがデンワキーＪ３ｃに表示された図である。
【００５４】
図３２は図２２の横用デンワキーＨ１と同じキー配置の縦用デンワキーＪ４で左側は「Ｗ」キーの接触によりガイドＣ３ｗがデンワキーＪ４ａに表示され、右側は「Ｌ」キーの接触によりガイドＣ３ｌがデンワキーＪ４ｂに表示された図である。
【００５５】
以上、実施例２であるが従来、フリック操作により清音の文字を選択し、変換キーにより濁音、小文字などに変換し、半濁音は再度キー操作により変換することで文字入力をしていた仮名文字によるフリック入力だが、本発明により
１）    図１０のデンワキーＧ１ａで示す半濁音の「ぱ」の仮名キーＮ１ｐを設置することで「は」キーのフリック操作で清音を選択し、変換キーの二度押しにより「ぱ」行の文字に変換していたが、一回のフリック操作で「ぱ」行の５文字を選択できるようにした。
２）    図１１のデンワキーＧ１ｃでは従来、小文字と同じ大文字の清音をフリック操作で選択し、変換キーにより小文字に変換していたが、一回のフリック操作で小文字が選択できるようにキーＮ２ｌとキーＮ２ｘを設置し、変換キーを削除したので濁音、半濁音の変換キーとしてキーＭ１を設置した。
３）    図１４のデンワキーＧ２では従来、濁音、半濁音を入力するには該当文字の清音を入力し変換キーにより濁音又は半濁音に変換していたが、一回のフリック操作で濁音、半濁音が選択できるように「が、ざ、だ、ば、ぱ」のキーを設置し、変換キーを削除したので小文字の変換キーとしてキーＭ２を設置した。
４）    図１８のデンワキーＧ３では従来、小文字、濁音、半濁音を入力するには該当文字の清音を入力後、変換キーにより小文字、濁音又は半濁音に変換していたが、一回のフリック操作で小文字を含む全ての仮名が入力できようにした。
５）    図２１以降は英字表記のデンワキーＨにガイドＣの表示とローマ字入力の文字入力の過程を紹介している。
６）    図２８から図３２迄は、仮名表記のデンワキーＪに仮名と仮名のガイドＡの表示や英字と英字のガイドＣ等のデンワキーとガイドのバリエーションを紹介している。
７）    初めにタップ、フリック操作により清音文字を選択し、濁音、半濁音、小文字とキー操作により変換する入力に比べ、１４の子音キーと一つの母音キーと小文字用の２個のキーを設置することで一回のフリック操作で仮名文字の全てが入力できる事と、英字表記により拗音も含むローマ字入力の方法も対応でき又、「Ｘ」キーに「や」行と「つ」の小文字の選択、「Ｌ」キーに「あ」行の小文字を選択するフリック機能を装備することで一回のフリック操作で全ての仮名文字が選択できるのでより早い入力方法を得ることができる。
８）    実施例２でも実施例１と同じく仮名表記のデンワキーＧと英字表記のデンワキーＰにガイド中央の文字が仮名と英字に外側の文字も仮名と英字による混合である。
【実施例３】
【００５６】
図３３の左側はＧｏｏｇｌｅ日本語入力による「Ｇｏｄaｎキーボード」Ｋで、中央は「Ｇｏｄaｎキーボード」Ｋのキー表記を清音のみの表記にしたゴダンキーＫ１ａで、右側はキーボードＫ１ａの母音キーの位置に「Ｇ」表記のキーＰ２ｇ、「Ｚ」表記のキーＰ２ｚ、「Ｄ」表記のキーＰ２ｄ、「Ｂ」表記のキーＰ２ｂ、「Ｐ」表記のキーＰ２ｐ、機能キーの位置に「Ａ」表記のキーＰ２ａを設置し、機能キーＭ３を図の位置に配置したゴダンキーＫ２の図である。
【００５７】
図３４は図３３のキーボードＫ２のキー操作により表示される各ガイドの図である。
【００５８】
図３５の左側は「Ｇ」キーの接触によりガイドＣ４ｇがゴダンキーＫ２ａに表示され、中央は「Ｚ」キーの接触によりガイドＣ４ｚがゴダンキーＫ２ｂに表示され、右側は「Ｄ」キーの接触によりガイドＣ４ｄがゴダンキーＫ２ｃに表示された図である。
【００５９】
図３６は図３５からの続きで、左側は「Ｂ」キーの接触によりガイドＣ４ｂがゴダンキーＫ２ｄに表示され、右側は「Ｎ」キーの接触によりガイドＣ４ｎがゴダンキーＫ２ｅに表示された図である。
【００６０】
図３７は図３６からの続きで、左側は「Ｐ」キーの接触によりガイドＣ４ｐがゴダンキーＫ２ｆに表示され、中央は「Ａ」キーの接触によりガイドＣ４ａがゴダンキーＫ２ｇに表示され、右側は「Ｗ」キーの接触によりガイドＣ４ｗがゴダンキーＫ２ｈに表示された図である。
【００６１】
図３８の左側は図３３のゴダンキーＫ２の「Ａ」キーを同縦列上段に移設し他のキーを下げたゴダンキーＫ１ｂで、中央は図３３のゴダンキーＫ２の英字キーを仮名の母音と子音に変換したゴダンキーＫ３で、右側は左側のゴダンキーＫ１ｂの英字キーを仮名の母音と子音に変換したゴダンキーＫ４の図である
【００６２】
図３９は図３８のキーボードＫ３での機能キーＭ４及び仮名キーＮ６に接触することで表示されるガイドＡ８図である。
【００６３】
図４０の左側は「が」キーの接触によりガイドＡ８ｇがゴダンキーＫ３ａに表示され、中央は「ざ」キーの接触によりガイドＡ８ｚがゴダンキーＫ３ｂに表示され、右側は「だ」キーの接触によりガイドＡ８ｄがゴダンキーＫ３ｃに表示された図である。
【００６４】
図４１の左側は「ば」キーの接触によりガイドＡ８ｂがゴダンキーＫ３ｄに表示され、右側は「な」キーの接触によりガイドＡ８ｎがゴダンキーＫ３ｅに表示された図である。
【００６５】
図４２の左側は「ぱ」キーの接触によりガイドＡ８ｐがゴダンキーＫ３ｆに表示され、中央は「あ」キーの接触によりガイドＡ８ａがゴダンキーＫ３ｇに表示され、右側は「わ」キーの接触によりガイドＡ８ｗがゴダンキーＫ３ｈに表示された図である。
【００６６】
図４３の左側は図３３のゴダンキーＫ１ａと同じゴダンキーＫ１ｃで、中央は図３８のゴダンキーＫ３に「ゃ小」と「ぁ小」に表記されたキーを設定したゴダンキーＫ５で、右側は中央に表示されているゴダンキーＫ５の中央縦列の「あ」キーを上段に設定し他のキーを一段下げたゴダンキーＫ６の図である。
【００６７】
図４４は図４３の右側ゴダンキーＫ６での仮名キーＮ８に接触することで表示されるガイドＡ９の図である。
【００６８】
図４５の左側は「が」キーの接触によりガイドＡ９ｇがゴダンキーＫ６ａに表示され、中央は「あ」キーの接触によりガイドＡ９ａがゴダンキーＫ６ｂに表示され、右側は「や」キーの接触によりガイドＡ９ｙがゴダンキーＫ６ｃに表示された図である。
【００６９】
図４６の左側は「ゃ小」キーの接触によりガイドＡ９ＸがゴダンキーＫ６ｄに表示され、右側は「ぁ小」キーの接触によりガイドＡ９ＬがゴダンキーＫ６ｆに表示された図である。
【００７０】
図４７の左側は「ぱ」キーの接触によりガイドＡ９ｐがゴダンキーＫ６ｇに表示され、中央は「な」キーの接触によりガイドＡ９ｎがゴダンキーＫ６ｈに表示され、右側は「わ」キーの接触によりガイドＡ９ｗがゴダンキーＫ６ｊに表示された図である。
【００７１】
図４８の左側は図４３でのゴダンキーＫ１ｃと同じゴダンキーＫ１ｄで、中央は図４３のゴダンキーＫ５に表記されている仮名から子音英字を抜粋し、「ゃ小」キーを「Ｘ」キーに、「ぁ小」キーを「Ｌ」キーに、「あ」は「Ａ」キーに置き換えたゴダンキーＫ７で、右側はゴダンキーＫ７の「Ａ」キーを同縦列の上の位置に変えたゴダンキーＫ８図である。
【００７２】
図４９は図４８のゴダンキーＫ８での英字キーＰ３に接触することで表示されるガイドＣ５の図である。
【００７３】
図５０の左側は「Ｇ」キーの接触によりガイドＣ５ｇがゴダンキーＫ８ａに表示され、中央は「Ａ」キーの接触によりガイドＣ５ａがゴダンキーＫ８ｂに表示され、右側は「Ｙ」キーの接触によりガイドＣ５ｙがゴダンキーＫ８ｃに表示された図である。
【００７４】
図５１の左側は「Ｘ」キーの接触によりガイドＣ５ＸがゴダンキーＫ８ｄに表示され、右側は「Ｌ」キーの接触によりガイドＣ５ＬがゴダンキーＫ８ｆに表示された図である。
【００７５】
図５２の左側は「Ｐ」キーの接触によりガイドＣ５ｐがゴダンキーＫ８ｇに表示され、中央は「Ｎ」キーの接触によりガイドＣ５ｎがゴダンキーＫ８ｈに表示され、右側は「Ｗ」キーの接触によりガイドＣ５ｗがゴダンキーＫ８ｊに表示された図である。
【００７６】
以上実施例３であるが実施例２との差は、デンワキーの文字キーが１０個に対してゴタンキーの文字キーが１４個と多い差で、キー配置の設定が違っていたが文字入力の機能に差はない。
【図１】
2016053932.tif 000003
【図２】
2016053932.tif 000004
【図３】
2016053932.tif 000005
【図４】
2016053932.tif 000006
【図５】
2016053932.tif 000007
【図６】
2016053932.tif 000008
【図７】
2016053932.tif 000009
【図８】
2016053932.tif 000010
【図９】
2016053932.tif 000011
【図１０】
2016053932.tif 000012
【図１１】
2016053932.tif 000013
【図１２】
2016053932.tif 000014
【図１３】
2016053932.tif 000015
【図１４】
2016053932.tif 000016
【図１５】
2016053932.tif 000017
【図１６】
2016053932.tif 000018
【図１７】
2016053932.tif 000019
【図１８】
2016053932.tif 000020
【図１９】
2016053932.tif 000021
【図２０】
2016053932.tif 000022
【図２１】
2016053932.tif 000023
【図２２】
2016053932.tif 000024
【図２３】
2016053932.tif 000025
【図２４】
2016053932.tif 000026
【図２５】
2016053932.tif 000027
【図２６】
2016053932.tif 000028
【図２７】
2016053932.tif 000029
【図２８】
2016053932.tif 000030
【図２９】
2016053932.tif 000031
【図３０】
2016053932.tif 000032
【図３１】
2016053932.tif 000033
【図３２】
2016053932.tif 000034
【図３３】
2016053932.tif 000035
【図３４】
2016053932.tif 000036
【図３５】
2016053932.tif 000037
【図３６】
2016053932.tif 000038
【図３７】
2016053932.tif 000039
【図３８】
2016053932.tif 000040
【図３９】
2016053932.tif 000041
【図４０】
2016053932.tif 000042
【図４１】
2016053932.tif 000043
【図４２】
2016053932.tif 000044
【図４３】
2016053932.tif 000045
【図４４】
2016053932.tif 000046
【図４５】
2016053932.tif 000047
【図４６】
2016053932.tif 000048
【図４７】
2016053932.tif 000049
【図４８】
2016053932.tif 000050
【図４９】
2016053932.tif 000051
【図５０】
2016053932.tif 000052
【図５１】
2016053932.tif 000053
【図５２】
2016053932.tif 000054